(57)【要約】      （修正有）【課題】手首への負担を軽減できるマウスパッドを提供する。【解決手段】手首への負担を軽減できるマウスパッドは、エアマット４４を含み、エアマットの中には空気導入装置１０１が設置され、エアマットの上端には位置制限板２２が左右対称、かつ固定的に連結され、両側に位置する前記位置制限板は装着装置１００によって連結され、装着装置の中には伝動装置が設置され、本発明はシンプルな構成と簡単な操作方法を有し、気圧を一定値に保つことで、手首とマウスパッドを水平状態に維持させ、また、手首へのマッサージも可能であり、マウスパッドの高度も微調整可能であるため、手首がサポートを失うことを防げ、より快適にマウスパッドを使用できる。【選択図】図１
2020175148.tif 000002
【特許請求の範囲】
【請求項１】
正面視で、エアマットを含み、前記エアマットの中には空気導入装置が設置され、前記エアマットの上端には位置制限板が左右対称、かつ固定的に連結され、両側に位置する前記位置制限板は装着装置によって連結され、前記装着装置の中には伝動装置が設置され、前記空気導入装置は前記エアマットの中に左右貫通に設置された空気貯蔵チャンバを含み、前記空気貯蔵チャンバの上下両側内壁の間には固定ブロックが左右対称、かつ固定的に連結され、両側に位置する前記固定ブロックの間には長回転軸が回転可能に連結され、右側に位置する前記固定ブロックの中にはモータが固定的に設置され、前記長回転軸の右端は前記モータと伝動可能に連結され、両側に位置する前記固定ブロックの間には連結板が左右対称、かつスライド可能に設置され、前記連結板は前記長回転軸と噛み合えるように連結され、両側に位置する前記連結板の間には締め付けばねが固定的に連結され、前記連結板のうち中心に近接した端には環状に配置された六つのマッサージボールがが固定的に連結され、前記エアマットの左端にはバルブが固定的に連結され、前記エアマットの右端にはエアポンプが固定的に連結され、前記バルブと前記エアポンプとは通電できるように連結され、前記空気貯蔵チャンバの上側内壁の中には上に開口した連結溝が連通できように設置され、
前記バルブは前記空気貯蔵チャンバの中の気圧をリアルタイムで測定でき、前記空気貯蔵チャンバの気圧が前記バルブのプリセット値を超えた場合は、前記エアポンプは空気を排出し、前記空気貯蔵チャンバの気圧が前記バルブのプリセット値に達しない場合は、前記エアポンプは空気を吸収し、前記モータを起動し、前記長回転軸によって前記連結板を回転させ、手首を左右両側に位置する前記連結板の間に置けば、前記締め付けばねの弾力によって手首は締め付けられ、同時に前記マッサージボールで手首マッサージは行われることを特徴とする手首への負担を軽減できるマウスパッド。
【請求項２】
前記装着装置は両側に位置する前記位置制限板の間に固定的に連結されたマウスパッドを含み、両側に位置する前記位置制限板の中には向かい合って開口したガイドチャンバが設置され、前記ガイドチャンバの中にはガイドロールが転がれるように設置され、両側に位置する前記ガイドロールの間には横ロッドが回転可能に連結され、前記横ロッドの上には装着ブロックがスライド可能に設置され、前記装着ブロックの後端は前記マウスパッドの前端面と当接しており、前記装着ブロックの中には潤滑チャンバが左右貫通に設置され、前記横ロッドは前記潤滑チャンバを貫いており、前記横ロッドの表面には潤滑液が塗ってあり、前記装着ブロックの中には上に開口したマウスチャンバが設置され、前記マウスチャンバは前に開口しており、前記マウスチャンバの中にはスライド板がスライド可能に設置され、前記スライド板の後端は前記マウスチャンバの後側内壁に当接しており、前記スライド板の下端は前記マウスチャンバの下側内壁に当接しており、前記スライド板の上端には継ぎ目が固定的に連結され、前記継ぎ目の上端はマウスと通電できるように連結されており、前記マウスの後端は前記スライド板に当接しており、前記継ぎ目は前記モータと通電できるように連結されており、
前記マウスが前記継ぎ目と電気的接続された時、前記モータは通電し、作動状態に入り、この時前記装着ブロックを滑らせ、前記ガイドロール及び前記横ロッドのガイドによって、前記マウスを前記マウスパッドの表面に滑らせることを特徴とする請求項１に記載の手首への負担を軽減できるマウスパッド。
【請求項３】
前記伝動装置は前記装着ブロックの中に設置された左に開口した伝動チャンバを含み、前記伝動チャンバの中には小型プーリが回転可能に設置され、前記小型プーリの中にはねじボルトが固定的に連結され、前記スライド板の中には下に開口したねじ穴が設置され、前記ねじボルトの前端は前記ねじ穴の中に伸びており、かつ前記ねじ穴とねじ山によって連結され、前記小型プーリの左側には大型プーリが回転可能に設置され、前記大型プーリと前記小型プーリとの間には伝動ベルトが連結されており、前記大型プーリの中には連結軸が固定的に連結され、前記大型プーリの前側には手動輪が回転可能に設置され、前記手動輪は前記連結軸に固定的に連結され、前記手動輪の左端は外部に伸びており、
前記手動輪を回し、ベルト伝動によって前記ねじボルトを回転させ、さらに前記スライド板と前記マウスとを前後に滑らせ、前記マウスと手首との高度差を調整可能であり、より快適にマウスを使用できることを特徴とする請求項１または請求項２に記載の手首への負担を軽減できるマウスパッド。
【請求項４】
前記マウスパッドの中には下に開口した空気充填チャンバが設置され、前記空気充填チャンバは前記連結溝と連通しており、前記空気充填チャンバの中には密封ブロックがスライド可能に設置され、前記密封ブロックの前後左右の端面は前記空気充填チャンバの内壁と当接しており、前記装着ブロックの後端面の中には上磁石が固定的に設置され、前記密封ブロックの中には前に開口した下磁石チャンバが設置され、前記下磁石チャンバの中には下磁石が左右にスライド可能に設置されており、
前記上磁石と前記下磁石とが吸引しあい、前記装着ブロックを滑らせ、それにより、前記密封ブロックを上下に滑らせ、前記密封ブロックは前記空気充填チャンバを上下両部分に分け、前記空気充填チャンバのうち前記密封ブロックの下側に位置する部分にガスを導入でき、前記マウスパッドを膨らませ、かつ手首と接触することで、手首がサポートを失うのを防げ、負担を軽減することを特徴とする請求項１または請求項２または請求項３に記載の手首への負担を軽減できるマウスパッド。
【発明の詳細な説明】
【技術分野】
【０００１】
本発明はマウスパッド分野を取り上げて、具体的には手首への負担を軽減できるマウスパッドである。
【背景技術】
【０００２】
仕事や生活にて、パソコンは広く利用されていてる。そのため、マウスパッドも必要不可欠な道具となり、しかし、従来のマウスパッドを長時間に使用すると、手首を痛め、あまつさえ歪みを与えかねない。よって、手首とマウスパッドとの高度差を調整でき、手首への負担を軽減できるマウスパッドの設計は実に必要である。本発明は気圧を一定値に保つことで、手首をサポートし、また、手首へのマッサージも可能であり、マウスパッドの高度も微調整可能であるため、手首  がサポートを失うのを防げ、より快適にマウスパッドを使用できる。
【先行技術文献】
【特許文献】
【０００３】
【特許文献１】中国特許出願公開第１０７７４８６３１号明細書
【発明の概要】
【発明が解決しようとする課題】
【０００４】
本発明は手首への負担を軽減できるマウスパッドを提供し、既存技術にある上記の欠点を解消することを目的とする。
【課題を解決するための手段】
【０００５】
本発明は以下の技術プランを通じて実現する：本発明の手首への負担を軽減できるマウスパッドは、エアマットを含み、前記エアマットの中には空気導入装置が設置され、前記エアマットの上端には位置制限板が左右対称、かつ固定的に連結され、両側に位置する前記位置制限板は装着装置によって連結され、前記装着装置の中には伝動装置が設置され、前記空気導入装置は前記エアマットの中に左右貫通に設置された空気貯蔵チャンバを含み、前記空気貯蔵チャンバの上下両側内壁の間には固定ブロックが左右対称、かつ固定的に連結され、両側に位置する前記固定ブロックの間には長回転軸が回転可能に連結され、右側に位置する前記固定ブロックの中にはモータが固定的に設置され、前記長回転軸の右端は前記モータと伝動可能に連結され、両側に位置する前記固定ブロックの間には連結板が左右対称、かつスライド可能に設置され、前記連結板は前記長回転軸と噛み合えるように連結され、両側に位置する前記連結板の間には締め付けばねが固定的に連結され、前記連結板のうち中心に近接した端には環状に配置された六つのマッサージボールがが固定的に連結され、前記エアマットの左端にはバルブが固定的に連結され、前記エアマットの右端にはエアポンプが固定的に連結され、前記バルブと前記エアポンプとは通電できるように連結され、前記空気貯蔵チャンバの上側内壁の中には上に開口した連結溝が連通できように設置され、
前記バルブは前記空気貯蔵チャンバの中の気圧をリアルタイムで測定でき、前記空気貯蔵チャンバの気圧が前記バルブのプリセット値を超えた場合は、前記エアポンプは空気を排出し、前記空気貯蔵チャンバの気圧が前記バルブのプリセット値に達しない場合は、前記エアポンプは空気を吸収し、前記モータを起動し、前記長回転軸によって前記連結板を回転させ、手首を左右両側に位置する前記連結板の間に置けば、前記締め付けばねの弾力によって手首は締め付けられ、同時に前記マッサージボールで手首マッサージは行われる。
【０００６】
好ましくは、前記装着装置は両側に位置する前記位置制限板の間に固定的に連結されたマウスパッドを含み、両側に位置する前記位置制限板の中には向かい合って開口したガイドチャンバが設置され、前記ガイドチャンバの中にはガイドロールが転がれるように設置され、両側に位置する前記ガイドロールの間には横ロッドが回転可能に連結され、前記横ロッドの上には装着ブロックがスライド可能に設置され、前記装着ブロックの後端は前記マウスパッドの前端面と当接しており、前記装着ブロックの中には潤滑チャンバが左右貫通に設置され、前記横ロッドは前記潤滑チャンバを貫いており、前記横ロッドの表面には潤滑液が塗ってあり、前記装着ブロックの中には上に開口したマウスチャンバが設置され、前記マウスチャンバは前に開口しており、前記マウスチャンバの中にはスライド板がスライド可能に設置され、前記スライド板の後端は前記マウスチャンバの後側内壁に当接しており、前記スライド板の下端は前記マウスチャンバの下側内壁に当接しており、前記スライド板の上端には継ぎ目が固定的に連結され、前記継ぎ目の上端はマウスと通電できるように連結されており、前記マウスの後端は前記スライド板に当接しており、前記継ぎ目は前記モータと通電できるように連結されており、
前記マウスが前記継ぎ目と電気的接続された時、前記モータは通電し、作動状態に入り、この時前記装着ブロックを滑らせ、前記ガイドロール及び前記横ロッドのガイドによって、前記マウスを前記マウスパッドの表面に滑らせる。
【０００７】
好ましくは、前記伝動装置は前記装着ブロックの中に設置された左に開口した伝動チャンバを含み、前記伝動チャンバの中には小型プーリが回転可能に設置され、前記小型プーリの中にはねじボルトが固定的に連結され、前記スライド板の中には下に開口したねじ穴が設置され、前記ねじボルトの前端は前記ねじ穴の中に伸びており、かつ前記ねじ穴とねじ山によって連結され、前記小型プーリの左側には大型プーリが回転可能に設置され、前記大型プーリと前記小型プーリとの間には伝動ベルトが連結されており、前記大型プーリの中には連結軸が固定的に連結され、前記大型プーリの前側には手動輪が回転可能に設置され、前記手動輪は前記連結軸に固定的に連結され、前記手動輪の左端は外部に伸びており、
前記手動輪を回し、ベルト伝動によって前記ねじボルトを回転させ、さらに前記スライド板と前記マウスとを前後に滑らせ、前記マウスと手首との高度差を調整可能であり、より快適にマウスを使用できる。
【０００８】
好ましくは、前記マウスパッドの中には下に開口した空気充填チャンバが設置され、前記空気充填チャンバは前記連結溝と連通しており、前記空気充填チャンバの中には密封ブロックがスライド可能に設置され、前記密封ブロックの前後左右の端面は前記空気充填チャンバの内壁と当接しており、前記装着ブロックの後端面の中には上磁石が固定的に設置され、前記密封ブロックの中には前に開口した下磁石チャンバが設置され、前記下磁石チャンバの中には下磁石が左右にスライド可能に設置されており、
前記上磁石と前記下磁石とが吸引しあい、前記装着ブロックを滑らせ、それにより、前記密封ブロックを上下に滑らせ、前記密封ブロックは前記空気充填チャンバを上下両部分に分け、前記空気充填チャンバのうち前記密封ブロックの下側に位置する部分にガスを導入でき、前記マウスパッドを膨らませ、かつ手首と接触することで、手首がサポートを失うのを防げ、負担を軽減する。
【発明の効果】
【０００９】
本発明の有益的効果は：本発明はシンプルな構成と簡単な操作方法を有し、気圧を一定値に保つことで、手首とマウスパッドを水平状態に維持させ、また、手首へのマッサージも可能であり、マウスパッドの高度も微調整可能であるため、手首がサポートを失うことを防げ、より快適にマウスパッドを使用できる。
【図面の簡単な説明】
【００１０】
下記に図１〜３を交え、本発明について詳しく説明し、また、説明をわかりやすくさせるため、下記の方向を以下のように規定する：図１は本発明装置の正面図であり、以下に述べる上下左右前後の方向と図１本体の投影関係の上下左右前後の方向とが一致である。
【００１１】
【図１】図１は本発明の手首への負担を軽減できるマウスパッドの内部構成略図
【図２】図２は図１におけるＡ―Ａ方向からの構成略図
【図３】図３は図１におけるＢ―  Ｂ方向からの構成略図
【発明を実施するための形態】
【００１２】
下記に図１〜３を交え、本発明について詳しく説明する。
【００１３】
図１〜３を参照し、本発明である手首への負担を軽減できるマウスパッドは、エアマット４４を含み、前記エアマット４４の中には空気導入装置１０１が設置され、前記エアマット４４の上端には位置制限板２２が左右対称、かつ固定的に連結され、両側に位置する前記位置制限板２２は装着装置１００によって連結され、前記装着装置１００の中には伝動装置１０２が設置され、前記空気導入装置１０１は前記エアマット４４の中に左右貫通に設置された空気貯蔵チャンバ１４を含み、前記空気貯蔵チャンバ１４の上下両側内壁の間には固定ブロック１２が左右対称、かつ固定的に連結され、両側に位置する前記固定ブロック１２の間には長回転軸１３が回転可能に連結され、右側に位置する前記固定ブロック１２の中にはモータ２０が固定的に設置され、前記長回転軸１３の右端は前記モータ２０と伝動可能に連結され、両側に位置する前記固定ブロック１２の間には連結板１５が左右対称、かつスライド可能に設置され、前記連結板１５は前記長回転軸１３と噛み合えるように連結され、両側に位置する前記連結板１５の間には締め付けばね１６が固定的に連結され、前記連結板１５のうち中心に近接した端には環状に配置された六つのマッサージボールが１８が固定的に連結され、前記エアマット４４の左端にはバルブ１１が固定的に連結され、前記エアマット４４の右端にはエアポンプ２１が固定的に連結され、前記バルブ１１と前記エアポンプ２１とは通電できるように連結され、前記空気貯蔵チャンバ１４の上側内壁の中には上に開口した連結溝１７が連通できように設置され、
前記バルブ１１は前記空気貯蔵チャンバ１４の中の気圧をリアルタイムで測定でき、前記空気貯蔵チャンバ１４の気圧が前記バルブ１１のプリセット値を超えた場合は、前記エアポンプ２１は空気を排出し、前記空気貯蔵チャンバ１４の気圧が前記バルブ１１のプリセット値に達しない場合は、前記エアポンプ２１は空気を吸収し、前記モータ２０を起動し、前記長回転軸１３によって前記連結板１５を回転させ、手首を左右両側に位置する前記連結板１５の間に置けば、前記締め付けばね１６４の弾力によって手首は締め付けられ、同時に前記マッサージボール１８で手首マッサージは行われる。
【００１４】
好ましくは、前記装着装置１００は両側に位置する前記位置制限板２２の間に固定的に連結されたマウスパッド２５を含み、両側に位置する前記位置制限板２２の中には向かい合って開口したガイドチャンバ２３が設置され、前記ガイドチャンバ２３の中にはガイドロール２４が転がれるように設置され、両側に位置する前記ガイドロール２４の間には横ロッド２６が回転可能に連結され、前記横ロッド２６の上には装着ブロック２８がスライド可能に設置され、前記装着ブロック２８の後端は前記マウスパッド２５の前端面と当接しており、前記装着ブロック２８の中には潤滑チャンバ２９が左右貫通に設置され、前記横ロッド２６は前記潤滑チャンバ２９を貫いており、前記横ロッド２６の表面には潤滑液が塗ってあり、前記装着ブロック２８の中には上に開口したマウスチャンバ３３が設置され、前記マウスチャンバ３３は前に開口しており、前記マウスチャンバ３３の中にはスライド板３１がスライド可能に設置され、前記スライド板３１の後端は前記マウスチャンバ３３の後側内壁に当接しており、前記スライド板３１の下端は前記マウスチャンバ３３の下側内壁に当接しており、前記スライド板３１の上端には継ぎ目３０が固定的に連結され、前記継ぎ目３０の上端はマウス３４と通電できるように連結されており、前記マウス３４の後端は前記スライド板３１に当接しており、前記継ぎ目３０は前記モータ２０と通電できるように連結されており、
前記マウス３４が前記継ぎ目３０と電気的接続された時、前記モータ２０は通電し、作動状態に入り、この時前記装着ブロック２８を滑らせ、前記ガイドロール２４及び前記横ロッド２６のガイドによって、前記マウス３４を前記マウスパッド２５の表面に滑らせる。。
【００１５】
好ましくは、前記伝動装置１０２は前記装着ブロック２８の中に設置された左に開口した伝動チャンバ３７を含み、前記伝動チャンバ３７の中には小型プーリ３８が回転可能に設置され、前記小型プーリ３８の中にはねじボルト３９が固定的に連結され、前記スライド板３１の中には下に開口したねじ穴４３が設置され、前記ねじボルト３９の前端は前記ねじ穴４３の中に伸びており、かつ前記ねじ穴４３とねじ山によって連結され、前記小型プーリ３８の左側には大型プーリ４１が回転可能に設置され、前記大型プーリ４１と前記小型プーリ３８との間には伝動ベルト４０が連結されており、前記大型プーリ４１の中には連結軸４２が固定的に連結され、前記大型プーリ４１の前側には手動輪３２が回転可能に設置され、前記手動輪３２は前記連結軸４２に固定的に連結され、前記手動輪３２の左端は外部に伸びており、
前記手動輪３２を回し、ベルト伝動によって前記ねじボルト３９を回転させ、さらに前記スライド板３１と前記マウス３４とを前後に滑らせ、前記マウス３４と手首との高度差を調整可能であり、より快適にマウスを使用できる。  
【００１６】
好ましくは、前記マウスパッド２５の中には下に開口した空気充填チャンバ１９が設置され、前記空気充填チャンバ１９は前記連結溝１７と連通しており、前記空気充填チャンバ１９の中には密封ブロック２７がスライド可能に設置され、前記密封ブロック２７の前後左右の端面は前記空気充填チャンバ１９の内壁と当接しており、前記装着ブロック２８の後端面の中には上磁石３５が固定的に設置され、前記密封ブロック２７の中には前に開口した下磁石チャンバ４５が設置され、前記下磁石チャンバ４５の中には下磁石３６が左右にスライド可能に設置されており、
前記上磁石３５と前記下磁石３６とが吸引しあい、前記装着ブロック２８を滑らせ、それにより、前記密封ブロック２７を上下に滑らせ、前記密封ブロック２７は前記空気充填チャンバ１９を上下両部分に分け、前記空気充填チャンバ１９のうち前記密封ブロック２７の下側に位置する部分にガスを導入でき、前記マウスパッド２５を膨らませ、かつ手首と接触することで、手首がサポートを失うのを防げ、負担を軽減する。
【００１７】
使用時には、マウス３４を継ぎ目３０と電気的接続し、この時モータ２０は通電し、作動しはじめ、長回転軸１３によって連結板１５を回転させ、手首を左右両側に位置する連結板１５の間に置けば、締め付けばね１６の弾力によって手首は締め付けられ、同時にマッサージボール１８で手首マッサージを行われ、この時装着ブロック２８を滑らせ、ガイドロール２４及び横ロッド２６のガイドにより、マウス３４はマウスパッド２５の表面で滑り、同時に密封ブロック２７を上下に滑らせ、バルブ１１は空気貯蔵チャンバ１４の中の気圧をリアルタイムで測定でき、空気貯蔵チャンバ１４の気圧がバルブ１１のプリセット値を超えた場合は、エアポンプ２１は空気を排出し、空気貯蔵チャンバ１４の気圧がバルブ１１のプリセット値に達しない場合は、エアポンプ２１は空気を吸収し、空気貯蔵チャンバ１４の中のガスは空気充填チャンバ１９に導入でき、かつ密封ブロック２７によって空気充填チャンバ１９は上下両部分に分けられることで、マウスパッド２５を膨らませ、かつ手首と接触し、それにより、手首がサポートを失うことを防げ、手首への負担を軽減できる。
【００１８】
本発明の有益的効果は：本発明はシンプルな構成と簡単な操作方法を有し、気圧を一定値に保つことで、手首とマウスパッドを水平状態に維持させ、また、手首へのマッサージも可能であり、マウスパッドの高度も微調整可能であるため、手首がサポートを失うことを防げ、より快適にマウスパッドを使用できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175148.tif 000003
【図２】
2020175148.tif 000004
【図３】
2020175148.tif 000005
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
正面から見ると右下方にエアポンプがある手首への負担を軽減できるマウスパッドであって、エアマットを含み、前記エアマットの中には空気導入装置が設置され、前記エアマットの上端には位置制限板が左右対称、かつ固定的に連結され、両側に位置する前記位置制限板は装着装置によって連結され、前記装着装置の中には伝動装置が設置され、前記空気導入装置は前記エアマットの中に左右貫通に設置された空気貯蔵チャンバを含み、前記空気貯蔵チャンバの上下両側内壁の間には固定ブロックが左右対称、かつ固定的に連結され、両側に位置する前記固定ブロックの間には長回転軸が回転可能に連結され、右側に位置する前記固定ブロックの中にはモータが固定的に設置され、前記長回転軸の右端は前記モータと伝動可能に連結され、両側に位置する前記固定ブロックの間には連結板が左右対称、かつスライド可能に設置され、前記連結板は前記長回転軸と噛み合えるように連結され、両側に位置する前記連結板の間には締め付けばねが固定的に連結され、前記連結板のうち中心に近接した端には環状に配置された六つのマッサージボールが固定的に連結され、前記エアマットの左端にはバルブが固定的に連結され、前記エアマットの右端にはエアポンプが固定的に連結され、前記バルブと前記エアポンプとは通電できるように連結され、前記空気貯蔵チャンバの上側内壁の中には上に開口した連結溝が連通できように設置され、前記バルブは前記空気貯蔵チャンバの中の気圧をリアルタイムで測定でき、前記空気貯蔵チャンバの気圧が前記バルブのプリセット値を超えた場合は、前記エアポンプは空気を排出し、前記空気貯蔵チャンバの気圧が前記バルブのプリセット値に達しない場合は、前記エアポンプは空気を吸収し、前記モータを起動し、前記長回転軸によって前記連結板を回転させ、手首を左右両側に位置する前記連結板の間に置けば、前記締め付けばねの弾力によって手首は締め付けられ、同時に前記マッサージボールで手首マッサージは行われることを特徴とする手首への負担を軽減できるマウスパッド。
【請求項２】
前記装着装置は両側に位置する前記位置制限板の間に固定的に連結されたパッドを含み、両側に位置する前記位置制限板の中には向かい合って開口したガイドチャンバが設置され、前記ガイドチャンバの中にはガイドロールが転がれるように設置され、両側に位置する前記ガイドロールの間には横ロッドが回転可能に連結され、前記横ロッドの上には装着ブロックがスライド可能に設置され、前記装着ブロックの後端は前記パッドの前端面と当接しており、前記装着ブロックの中には潤滑チャンバが左右貫通に設置され、前記横ロッドは前記潤滑チャンバを貫いており、前記横ロッドの表面には潤滑液が塗ってあり、前記装着ブロックの中には上に開口したマウスチャンバが設置され、前記マウスチャンバは前に開口しており、前記マウスチャンバの中にはスライド板がスライド可能に設置され、前記スライド板の後端は前記マウスチャンバの後側内壁に当接しており、前記スライド板の下端は前記マウスチャンバの下側内壁に当接しており、前記スライド板の上端には継ぎ目が固定的に連結され、前記継ぎ目の上端はマウスと通電できるように連結されており、前記マウスの後端は前記スライド板に当接しており、前記継ぎ目は前記モータと通電できるように連結されており、前記マウスが前記継ぎ目と電気的接続された時、前記モータは通電し、作動状態に入り、この時前記装着ブロックを滑らせ、前記ガイドロール及び前記横ロッドのガイドによって、前記マウスを前記パッドの表面に滑らせることを特徴とする請求項１に記載の手首への負担を軽減できるマウスパッド。
【請求項３】
前記伝動装置は前記装着ブロックの中に設置された左に開口した伝動チャンバを含み、前記伝動チャンバの中には小型プーリが回転可能に設置され、前記小型プーリの中にはねじボルトが固定的に連結され、前記スライド板の中には下に開口したねじ穴が設置され、前記ねじボルトの前端は前記ねじ穴の中に伸びており、かつ前記ねじ穴とねじ山によって連結され、前記小型プーリの左側には大型プーリが回転可能に設置され、前記大型プーリと前記小型プーリとの間には伝動ベルトが連結されており、前記大型プーリの中には連結軸が固定的に連結され、前記大型プーリの前側には手動輪が回転可能に設置され、前記手動輪は前記連結軸に固定的に連結され、前記手動輪の左端は外部に伸びており、前記手動輪を回し、ベルト伝動によって前記ねじボルトを回転させ、さらに前記スライド板と前記マウスとを前後に滑らせ、前記マウスと手首との高度差を調整可能であり、より快適にマウスを使用できることを特徴とする請求項１または請求項２に記載の手首への負担を軽減できるマウスパッド。
【請求項４】
前記パッドの中には下に開口した空気充填チャンバが設置され、前記空気充填チャンバは前記連結溝と連通しており、前記空気充填チャンバの中には密封ブロックがスライド可能に設置され、前記密封ブロックの前後左右の端面は前記空気充填チャンバの内壁と当接しており、前記装着ブロックの後端面の中には上磁石が固定的に設置され、前記密封ブロックの中には前に開口した下磁石チャンバが設置され、前記下磁石チャンバの中には下磁石が左右にスライド可能に設置されており、前記上磁石と前記下磁石とが吸引しあい、前記装着ブロックを滑らせ、それにより、前記密封ブロックを上下に滑らせ、前記密封ブロックは前記空気充填チャンバを上下両部分に分け、前記空気充填チャンバのうち前記密封ブロックの下側に位置する部分にガスを導入でき、前記パッドを膨らませ、かつ手首と接触することで、手首がサポートを失うのを防げ、負担を軽減することを特徴とする請求項１または請求項２または請求項３に記載の手首への負担を軽減できるマウスパッド。
【手続補正２】
【補正対象書類名】明細書
【補正対象項目名】全文
【補正方法】変更
【補正の内容】
【発明の詳細な説明】
【技術分野】
【０００１】
本発明はマウスパッド分野を取り上げて、具体的には手首への負担を軽減できるマウスパッドである。
【背景技術】
【０００２】
仕事や生活にて、パソコンは広く利用されていてる。そのため、マウスパッドも必要不可欠な道具となり、しかし、従来のマウスパッドを長時間に使用すると、手首を痛め、あまつさえ歪みを与えかねない。よって、手首とマウスパッドとの高度差を調整でき、手首への負担を軽減できるマウスパッドの設計は実に必要である。本発明は気圧を一定値に保つことで、手首をサポートし、また、手首へのマッサージも可能であり、マウスパッドの高度も微調整可能であるため、手首がサポートを失うのを防げ、より快適にマウスパッドを使用できる。
【先行技術文献】
【特許文献】
【０００３】
【特許文献１】中国特許出願公開第１０７７４８６３１号明細書
【発明の概要】
【発明が解決しようとする課題】
【０００４】
本発明は手首への負担を軽減できるマウスパッドを提供し、既存技術にある上記の欠点を解消することを目的とする。
【課題を解決するための手段】
【０００５】
本発明は以下の技術プランを通じて実現する：本発明の手首への負担を軽減できるマウスパッドは、エアマットを含み、前記エアマットの中には空気導入装置が設置され、前記エアマットの上端には位置制限板が左右対称、かつ固定的に連結され、両側に位置する前記位置制限板は装着装置によって連結され、前記装着装置の中には伝動装置が設置され、前記空気導入装置は前記エアマットの中に左右貫通に設置された空気貯蔵チャンバを含み、前記空気貯蔵チャンバの上下両側内壁の間には固定ブロックが左右対称、かつ固定的に連結され、両側に位置する前記固定ブロックの間には長回転軸が回転可能に連結され、右側に位置する前記固定ブロックの中にはモータが固定的に設置され、前記長回転軸の右端は前記モータと伝動可能に連結され、両側に位置する前記固定ブロックの間には連結板が左右対称、かつスライド可能に設置され、前記連結板は前記長回転軸と噛み合えるように連結され、両側に位置する前記連結板の間には締め付けばねが固定的に連結され、前記連結板のうち中心に近接した端には環状に配置された六つのマッサージボールが固定的に連結され、前記エアマットの左端にはバルブが固定的に連結され、前記エアマットの右端にはエアポンプが固定的に連結され、前記バルブと前記エアポンプとは通電できるように連結され、前記空気貯蔵チャンバの上側内壁の中には上に開口した連結溝が連通できように設置され、前記バルブは前記空気貯蔵チャンバの中の気圧をリアルタイムで測定でき、前記空気貯蔵チャンバの気圧が前記バルブのプリセット値を超えた場合は、前記エアポンプは空気を排出し、前記空気貯蔵チャンバの気圧が前記バルブのプリセット値に達しない場合は、前記エアポンプは空気を吸収し、前記モータを起動し、前記長回転軸によって前記連結板を回転させ、手首を左右両側に位置する前記連結板の間に置けば、前記締め付けばねの弾力によって手首は締め付けられ、同時に前記マッサージボールで手首マッサージは行われる。
【０００６】
好ましくは、前記装着装置は両側に位置する前記位置制限板の間に固定的に連結されたパッドを含み、両側に位置する前記位置制限板の中には向かい合って開口したガイドチャンバが設置され、前記ガイドチャンバの中にはガイドロールが転がれるように設置され、両側に位置する前記ガイドロールの間には横ロッドが回転可能に連結され、前記横ロッドの上には装着ブロックがスライド可能に設置され、前記装着ブロックの後端は前記パッドの前端面と当接しており、前記装着ブロックの中には潤滑チャンバが左右貫通に設置され、前記横ロッドは前記潤滑チャンバを貫いており、前記横ロッドの表面には潤滑液が塗ってあり、前記装着ブロックの中には上に開口したマウスチャンバが設置され、前記マウスチャンバは前に開口しており、前記マウスチャンバの中にはスライド板がスライド可能に設置され、前記スライド板の後端は前記マウスチャンバの後側内壁に当接しており、前記スライド板の下端は前記マウスチャンバの下側内壁に当接しており、前記スライド板の上端には継ぎ目が固定的に連結され、前記継ぎ目の上端はマウスと通電できるように連結されており、前記マウスの後端は前記スライド板に当接しており、前記継ぎ目は前記モータと通電できるように連結されており、前記マウスが前記継ぎ目と電気的接続された時、前記モータは通電し、作動状態に入り、この時前記装着ブロックを滑らせ、前記ガイドロール及び前記横ロッドのガイドによって、前記マウスを前記パッドの表面に滑らせる。
【０００７】
好ましくは、前記伝動装置は前記装着ブロックの中に設置された左に開口した伝動チャンバを含み、前記伝動チャンバの中には小型プーリが回転可能に設置され、前記小型プーリの中にはねじボルトが固定的に連結され、前記スライド板の中には下に開口したねじ穴が設置され、前記ねじボルトの前端は前記ねじ穴の中に伸びており、かつ前記ねじ穴とねじ山によって連結され、前記小型プーリの左側には大型プーリが回転可能に設置され、前記大型プーリと前記小型プーリとの間には伝動ベルトが連結されており、前記大型プーリの中には連結軸が固定的に連結され、前記大型プーリの前側には手動輪が回転可能に設置され、前記手動輪は前記連結軸に固定的に連結され、前記手動輪の左端は外部に伸びており、前記手動輪を回し、ベルト伝動によって前記ねじボルトを回転させ、さらに前記スライド板と前記マウスとを前後に滑らせ、前記マウスと手首との高度差を調整可能であり、より快適にマウスを使用できる。
【０００８】
好ましくは、前記パッドの中には下に開口した空気充填チャンバが設置され、前記空気充填チャンバは前記連結溝と連通しており、前記空気充填チャンバの中には密封ブロックがスライド可能に設置され、前記密封ブロックの前後左右の端面は前記空気充填チャンバの内壁と当接しており、前記装着ブロックの後端面の中には上磁石が固定的に設置され、前記密封ブロックの中には前に開口した下磁石チャンバが設置され、前記下磁石チャンバの中には下磁石が左右にスライド可能に設置されており、前記上磁石と前記下磁石とが吸引しあい、前記装着ブロックを滑らせ、それにより、前記密封ブロックを上下に滑らせ、前記密封ブロックは前記空気充填チャンバを上下両部分に分け、前記空気充填チャンバのうち前記密封ブロックの下側に位置する部分にガスを導入でき、前記パッドを膨らませ、かつ手首と接触することで、手首がサポートを失うのを防げ、負担を軽減する。
【発明の効果】
【０００９】
本発明の有益的効果は：本発明はシンプルな構成と簡単な操作方法を有し、気圧を一定値に保つことで、手首とマウスパッドを水平状態に維持させ、また、手首へのマッサージも可能であり、マウスパッドの高度も微調整可能であるため、手首がサポートを失うことを防げ、より快適にマウスパッドを使用できる。
【図面の簡単な説明】
【００１０】
下記に図１〜３を交え、本発明について詳しく説明し、また、説明をわかりやすくさせるため、下記の方向を以下のように規定する：図１は本発明装置の正面図であり、以下に述べる上下左右前後の方向と図１本体の投影関係の上下左右前後の方向とが一致である。
【００１１】
【図１】図１は本発明の手首への負担を軽減できるマウスパッドの内部構成略図
【図２】図２は図１におけるＡ―Ａ方向からの構成略図
【図３】図３は図１におけるＢ―Ｂ方向からの構成略図
【発明を実施するための形態】
【００１２】
下記に図１〜３を交え、本発明について詳しく説明する。
【００１３】
図１〜３を参照し、本発明である手首への負担を軽減できるマウスパッドは、エアマット４４を含み、前記エアマット４４の中には空気導入装置１０１が設置され、前記エアマット４４の上端には位置制限板２２が左右対称、かつ固定的に連結され、両側に位置する前記位置制限板２２は装着装置１００によって連結され、前記装着装置１００の中には伝動装置１０２が設置され、前記空気導入装置１０１は前記エアマット４４の中に左右貫通に設置された空気貯蔵チャンバ１４を含み、前記空気貯蔵チャンバ１４の上下両側内壁の間には固定ブロック１２が左右対称、かつ固定的に連結され、両側に位置する前記固定ブロック１２の間には長回転軸１３が回転可能に連結され、右側に位置する前記固定ブロック１２の中にはモータ２０が固定的に設置され、前記長回転軸１３の右端は前記モータ２０と伝動可能に連結され、両側に位置する前記固定ブロック１２の間には連結板１５が左右対称、かつスライド可能に設置され、前記連結板１５は前記長回転軸１３と噛み合えるように連結され、両側に位置する前記連結板１５の間には締め付けばね１６が固定的に連結され、前記連結板１５のうち中心に近接した端には環状に配置された六つのマッサージボール１８が固定的に連結され、前記エアマット４４の左端にはバルブ１１が固定的に連結され、前記エアマット４４の右端にはエアポンプ２１が固定的に連結され、前記バルブ１１と前記エアポンプ２１とは通電できるように連結され、前記空気貯蔵チャンバ１４の上側内壁の中には上に開口した連結溝１７が連通できように設置され、前記バルブ１１は前記空気貯蔵チャンバ１４の中の気圧をリアルタイムで測定でき、前記空気貯蔵チャンバ１４の気圧が前記バルブ１１のプリセット値を超えた場合は、前記エアポンプ２１は空気を排出し、前記空気貯蔵チャンバ１４の気圧が前記バルブ１１のプリセット値に達しない場合は、前記エアポンプ２１は空気を吸収し、前記モータ２０を起動し、前記長回転軸１３によって前記連結板１５を回転させ、手首を左右両側に位置する前記連結板１５の間に置けば、前記締め付けばね１６４の弾力によって手首は締め付けられ、同時に前記マッサージボール１８で手首マッサージは行われる。
【００１４】
好ましくは、前記装着装置１００は両側に位置する前記位置制限板２２の間に固定的に連結されたパッド２５を含み、両側に位置する前記位置制限板２２の中には向かい合って開口したガイドチャンバ２３が設置され、前記ガイドチャンバ２３の中にはガイドロール２４が転がれるように設置され、両側に位置する前記ガイドロール２４の間には横ロッド２６が回転可能に連結され、前記横ロッド２６の上には装着ブロック２８がスライド可能に設置され、前記装着ブロック２８の後端は前記パッド２５の前端面と当接しており、前記装着ブロック２８の中には潤滑チャンバ２９が左右貫通に設置され、前記横ロッド２６は前記潤滑チャンバ２９を貫いており、前記横ロッド２６の表面には潤滑液が塗ってあり、前記装着ブロック２８の中には上に開口したマウスチャンバ３３が設置され、前記マウスチャンバ３３は前に開口しており、前記マウスチャンバ３３の中にはスライド板３１がスライド可能に設置され、前記スライド板３１の後端は前記マウスチャンバ３３の後側内壁に当接しており、前記スライド板３１の下端は前記マウスチャンバ３３の下側内壁に当接しており、前記スライド板３１の上端には継ぎ目３０が固定的に連結され、前記継ぎ目３０の上端はマウス３４と通電できるように連結されており、前記マウス３４の後端は前記スライド板３１に当接しており、前記継ぎ目３０は前記モータ２０と通電できるように連結されており、前記マウス３４が前記継ぎ目３０と電気的接続された時、前記モータ２０は通電し、作動状態に入り、この時前記装着ブロック２８を滑らせ、前記ガイドロール２４及び前記横ロッド２６のガイドによって、前記マウス３４を前記パッド２５の表面に滑らせる。
【００１５】
好ましくは、前記伝動装置１０２は前記装着ブロック２８の中に設置された左に開口した伝動チャンバ３７を含み、前記伝動チャンバ３７の中には小型プーリ３８が回転可能に設置され、前記小型プーリ３８の中にはねじボルト３９が固定的に連結され、前記スライド板３１の中には下に開口したねじ穴４３が設置され、前記ねじボルト３９の前端は前記ねじ穴４３の中に伸びており、かつ前記ねじ穴４３とねじ山によって連結され、前記小型プーリ３８の左側には大型プーリ４１が回転可能に設置され、前記大型プーリ４１と前記小型プーリ３８との間には伝動ベルト４０が連結されており、前記大型プーリ４１の中には連結軸４２が固定的に連結され、前記大型プーリ４１の前側には手動輪３２が回転可能に設置され、前記手動輪３２は前記連結軸４２に固定的に連結され、前記手動輪３２の左端は外部に伸びており、前記手動輪３２を回し、ベルト伝動によって前記ねじボルト３９を回転させ、さらに前記スライド板３１と前記マウス３４とを前後に滑らせ、前記マウス３４と手首との高度差を調整可能であり、より快適にマウスを使用できる。
【００１６】
好ましくは、前記パッド２５の中には下に開口した空気充填チャンバ１９が設置され、前記空気充填チャンバ１９は前記連結溝１７と連通しており、前記空気充填チャンバ１９の中には密封ブロック２７がスライド可能に設置され、前記密封ブロック２７の前後左右の端面は前記空気充填チャンバ１９の内壁と当接しており、前記装着ブロック２８の後端面の中には上磁石３５が固定的に設置され、前記密封ブロック２７の中には前に開口した下磁石チャンバ４５が設置され、前記下磁石チャンバ４５の中には下磁石３６が左右にスライド可能に設置されており、前記上磁石３５と前記下磁石３６とが吸引しあい、前記装着ブロック２８を滑らせ、それにより、前記密封ブロック２７を上下に滑らせ、前記密封ブロック２７は前記空気充填チャンバ１９を上下両部分に分け、前記空気充填チャンバ１９のうち前記密封ブロック２７の下側に位置する部分にガスを導入でき、前記パッド２５を膨らませ、かつ手首と接触することで、手首がサポートを失うのを防げ、負担を軽減する。
【００１７】
使用時には、マウス３４を継ぎ目３０と電気的接続し、この時モータ２０は通電し、作動しはじめ、長回転軸１３によって連結板１５を回転させ、手首を左右両側に位置する連結板１５の間に置けば、締め付けばね１６の弾力によって手首は締め付けられ、同時にマッサージボール１８で手首マッサージを行われ、この時装着ブロック２８を滑らせ、ガイドロール２４及び横ロッド２６のガイドにより、マウス３４はパッド２５の表面で滑り、同時に密封ブロック２７を上下に滑らせ、バルブ１１は空気貯蔵チャンバ１４の中の気圧をリアルタイムで測定でき、空気貯蔵チャンバ１４の気圧がバルブ１１のプリセット値を超えた場合は、エアポンプ２１は空気を排出し、空気貯蔵チャンバ１４の気圧がバルブ１１のプリセット値に達しない場合は、エアポンプ２１は空気を吸収し、空気貯蔵チャンバ１４の中のガスは空気充填チャンバ１９に導入でき、かつ密封ブロック２７によって空気充填チャンバ１９は上下両部分に分けられることで、パッド２５を膨らませ、かつ手首と接触し、それにより、手首がサポートを失うことを防げ、手首への負担を軽減できる。
【００１８】
本発明の有益的効果は：本発明はシンプルな構成と簡単な操作方法を有し、気圧を一定値に保つことで、手首とマウスパッドを水平状態に維持させ、また、手首へのマッサージも可能であり、マウスパッドの高度も微調整可能であるため、手首がサポートを失うことを防げ、より快適にマウスパッドを使用できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
正面から見ると右下方にエアポンプがある手首への負担を軽減できるマウスパッドであって、エアマットを含み、前記エアマットの中には空気導入装置が設置され、前記エアマットの上端には位置制限板が左右対称、かつ固定的に連結され、両側に位置する前記位置制限板は装着装置によって連結され、前記装着装置の中には伝動装置が設置され、前記空気導入装置は前記エアマットの中に左右貫通に設置された空気貯蔵チャンバを含み、前記空気貯蔵チャンバの上下両側内壁の間には固定ブロックが左右対称、かつ固定的に連結され、両側に位置する前記固定ブロックの間には長回転軸が回転可能に連結され、右側に位置する前記固定ブロックの中にはモータが固定的に設置され、前記長回転軸の右端は前記モータと伝動可能に連結され、両側に位置する前記固定ブロックの間には連結板が左右対称、かつスライド可能に設置され、前記連結板は前記長回転軸と噛み合えるように連結され、両側に位置する前記連結板の間には締め付けばねが固定的に連結され、前記連結板のうち中心に近接した端には環状に配置された六つのマッサージボールが固定的に連結され、前記エアマットの左端にはバルブが固定的に連結され、前記エアマットの右端にはエアポンプが固定的に連結され、前記バルブと前記エアポンプとは通電できるように連結され、前記空気貯蔵チャンバの上側内壁の中には上に開口した連結溝が連通できように設置され、前記バルブは前記空気貯蔵チャンバの中の気圧をリアルタイムで測定でき、前記空気貯蔵チャンバの気圧が前記バルブのプリセット値を超えた場合は、前記エアポンプは空気を排出し、前記空気貯蔵チャンバの気圧が前記バルブのプリセット値に達しない場合は、前記エアポンプは空気を吸収し、前記モータを起動し、前記長回転軸によって前記連結板を回転させ、手首を左右両側に位置する前記連結板の間に置けば、前記締め付けばねの弾力によって手首は締め付けられ、同時に前記マッサージボールで手首マッサージは行われ、
前記装着装置は両側に位置する前記位置制限板の間に固定的に連結されたパッドを含み、両側に位置する前記位置制限板の中には向かい合って開口したガイドチャンバが設置され、前記ガイドチャンバの中にはガイドロールが転がれるように設置され、両側に位置する前記ガイドロールの間には横ロッドが回転可能に連結され、前記横ロッドの上には装着ブロックがスライド可能に設置され、前記装着ブロックの後端は前記パッドの前端面と当接しており、前記装着ブロックの中には潤滑チャンバが左右貫通に設置され、前記横ロッドは前記潤滑チャンバを貫いており、前記横ロッドの表面には潤滑液が塗ってあり、前記装着ブロックの中には上に開口したマウスチャンバが設置され、前記マウスチャンバは前に開口しており、前記マウスチャンバの中にはスライド板がスライド可能に設置され、前記スライド板の後端は前記マウスチャンバの後側内壁に当接しており、前記スライド板の下端は前記マウスチャンバの下側内壁に当接しており、前記スライド板の上端には継ぎ目が固定的に連結され、前記継ぎ目の上端はマウスと通電できるように連結されており、前記マウスの後端は前記スライド板に当接しており、前記継ぎ目は前記モータと通電できるように連結されており、前記マウスが前記継ぎ目と電気的接続された時、前記モータは通電し、作動状態に入り、この時前記装着ブロックを滑らせ、前記ガイドロール及び前記横ロッドのガイドによって、前記マウスを前記パッドの表面に滑らせ、
前記伝動装置は前記装着ブロックの中に設置された左に開口した伝動チャンバを含み、前記伝動チャンバの中には小型プーリが回転可能に設置され、前記小型プーリの中にはねじボルトが固定的に連結され、前記スライド板の中には下に開口したねじ穴が設置され、前記ねじボルトの前端は前記ねじ穴の中に伸びており、かつ前記ねじ穴とねじ山によって連結され、前記小型プーリの左側には大型プーリが回転可能に設置され、前記大型プーリと前記小型プーリとの間には伝動ベルトが連結されており、前記大型プーリの中には連結軸が固定的に連結され、前記大型プーリの前側には手動輪が回転可能に設置され、前記手動輪は前記連結軸に固定的に連結され、前記手動輪の左端は外部に伸びており、前記手動輪を回し、ベルト伝動によって前記ねじボルトを回転させ、さらに前記スライド板と前記マウスとを前後に滑らせ、前記マウスと手首との高度差を調整可能であり、より快適にマウスを使用でき、
前記パッドの中には下に開口した空気充填チャンバが設置され、前記空気充填チャンバは前記連結溝と連通しており、前記空気充填チャンバの中には密封ブロックがスライド可能に設置され、前記密封ブロックの前後左右の端面は前記空気充填チャンバの内壁と当接しており、前記装着ブロックの後端面の中には上磁石が固定的に設置され、前記密封ブロックの中には前に開口した下磁石チャンバが設置され、前記下磁石チャンバの中には下磁石が左右にスライド可能に設置されており、前記上磁石と前記下磁石とが吸引しあい、前記装着ブロックを滑らせ、それにより、前記密封ブロックを上下に滑らせ、前記密封ブロックは前記空気充填チャンバを上下両部分に分け、前記空気充填チャンバのうち前記密封ブロックの下側に位置する部分にガスを導入でき、前記パッドを膨らませ、かつ手首と接触することで、手首がサポートを失うのを防げ、負担を軽減することを特徴とする手首への負担を軽減できるマウスパッド。